(57)【特許請求の範囲】
【請求項１】
楽曲コンテンツに対するユーザの好みの程度を示す評価情報を携帯端末から受信し、その受信した評価情報に基づいて配信対象の楽曲コンテンツを決定して、その決定した楽曲コンテンツを配信する機能を有する楽曲コンテンツ配信サーバから前記楽曲コンテンツの配信を受けるためのラジオ局を車載装置から送信された属性情報に基づいて作成する機能と、当該ラジオ局に基づいて前記楽曲コンテンツの配信を受ける機能と、前記車載装置から送信された前記評価情報を前記楽曲コンテンツ配信サーバに送信する機能とを有する携帯端末と接続可能に成された車載装置であって、
前記車載装置の記録媒体に記録されている楽曲コンテンツに関する前記属性情報を、当該楽曲コンテンツに付属している付属情報から抽出する属性情報抽出部と、
前記属性情報抽出部により抽出された前記属性情報を前記携帯端末に送信する属性情報送信部と、
前記楽曲コンテンツ配信サーバから前記携帯端末に配信された楽曲コンテンツを当該携帯端末から受信する楽曲コンテンツ受信部と、
前記楽曲コンテンツ受信部により受信された前記楽曲コンテンツと同一の楽曲コンテンツが前記記録媒体に記録されているか否かについて判定する判定部と、
前記判定部により同一の楽曲コンテンツが記録されていると判定された場合、当該同一の楽曲コンテンツに対するユーザの好みの程度を示す前記評価情報を、前記付属情報に基づいて生成する評価情報生成部と、
前記評価情報生成部により生成された前記評価情報を前記携帯端末に送信する評価情報送信部とを備えたことを特徴とする車載装置。
【請求項２】
楽曲コンテンツに対するユーザの好みの程度を示す評価情報を携帯端末から受信し、その受信した評価情報に基づいて配信対象の楽曲コンテンツを決定して、その決定した楽曲コンテンツを配信する機能を有する楽曲コンテンツ配信サーバから前記楽曲コンテンツの配信を受けるためのラジオ局を車載装置から送信された属性情報に基づいて作成する機能と、当該ラジオ局に基づいて前記楽曲コンテンツの配信を受ける機能と、前記車載装置から送信された前記評価情報を前記楽曲コンテンツ配信サーバに送信する機能とを有する携帯端末と接続可能に成された車載装置におけるラジオ局作成支援方法であって、
前記車載装置からアクセスすることが可能な記録媒体に記録されている楽曲コンテンツに関する前記属性情報を、当該楽曲コンテンツに付属している付属情報から抽出する第１のステップと、
前記第１のステップにより抽出された前記属性情報を前記携帯端末に送信する第２のステップと、
前記楽曲コンテンツ配信サーバから前記携帯端末に配信された楽曲コンテンツを当該携帯端末から受信する第３のステップと、
前記第３のステップにより受信された前記楽曲コンテンツと同一の楽曲コンテンツが前記記録媒体に記録されているか否かについて判定する第４のステップと、
前記第４のステップにより同一の楽曲コンテンツが記録されていると判定された場合、当該同一の楽曲コンテンツに対するユーザの好みの程度を示す前記評価情報を、前記付属情報に基づいて生成する第５のステップと、
前記第５のステップにより生成された前記評価情報を前記携帯端末に送信する第６のステップとを有することを特徴とするラジオ局作成支援方法。
【発明の詳細な説明】
【技術分野】
【０００１】
本発明は、インターネットラジオで用いられるユーザ専用のラジオ局を作成することを支援する車載装置およびラジオ局作成支援方法に関する。
【背景技術】
【０００２】
近年、インターネットを介して楽曲コンテンツの配信をストリーミング方式で行うインターネットラジオサービスが普及してきている。インターネットラジオには、オンデマンド方式によるものと、ライブ方式によるものとがある。オンデマンド方式は、楽曲コンテンツを事前に収録しておき、ユーザのリクエストによっていつでも配信できるようにした方式である。ライブ方式は、楽曲コンテンツをリアルタイムに生成してユーザに配信する方式である。
【０００３】
最近では、オンデマンド方式によるインターネットラジオの１つとして、「音楽発見エンジン」とも呼ばれる新サービスが提供されている。この新サービスでは、ユーザ専用のラジオ局を作成することができる。ラジオ局は、ユーザがお気に入りのジャンル、アーティスト名、曲名、作曲者名などの属性情報を指定することによって作成する。ラジオ局を作成すると、属性情報に関連付けられた楽曲コンテンツとリズムやサウンドの似た楽曲コンテンツがインターネットを通じてストリーム配信される。
【０００４】
この種のインターネットラジオサービスを携帯端末で利用する場合、ユーザは携帯端末に対して、聴きたい楽曲に関連するジャンル、アーティスト名、曲名または作曲者名などの属性情報を入力する。すると、携帯端末は、その属性情報に基づくユーザ専用のラジオ局を作成する。そして、携帯端末は、インターネットを介して、作成したラジオ局の属性情報を楽曲コンテンツ配信サーバに送信する。
【０００５】
楽曲コンテンツ配信サーバは、携帯端末から送信された属性情報に関連付けられている楽曲コンテンツとリズムやサウンドの似た楽曲コンテンツを抽出し、携帯端末に順次送信する。携帯端末は、楽曲コンテンツ配信サーバから順次送信された楽曲コンテンツを再生して音声出力する。このようなインターネットラジオサービスを利用することによって、ユーザは、自分好みのリズムやサウンドを有する多くの楽曲コンテンツを聴くことができ、今まで全く聴いたことのなかった自分好みの楽曲コンテンツに出会える喜びを享受することができる。
【０００６】
なお、楽曲コンテンツを携帯端末に配信する技術として、ユーザが所有する音声楽曲再生機における音声楽曲再生履歴やこの履歴を用いた嗜好分析結果を着信メロディ販売元に送信すると、着信メロディ販売元が、音声楽曲再生機から送信された音声楽曲再生履歴や嗜好分析結果を用いて、ユーザの嗜好に合った着信メロディを携帯電話に配信する技術が提案されている（例えば、特許文献１を参照）。
【先行技術文献】
【特許文献】
【０００７】
【特許文献１】特開２００４−２１９７９０号公報
【発明の概要】
【発明が解決しようとする課題】
【０００８】
ところで、楽曲コンテンツ配信サーバから携帯端末に配信される楽曲コンテンツに基づく音声を車内でも聴きたいというユーザの要望がある。そこで、携帯端末と車載装置とを連携させて、携帯端末に配信される楽曲コンテンツに基づく音声を車載装置から出力することが検討されている。しかしながら、ユーザが新たなラジオ局を携帯端末上に作成しようとするとき、携帯端末の画面、または、属性情報の入力機能を持たせた車載装置の画面を見ながら属性情報を入力する必要がある。そのため、運転中はユーザの目線が車両前方から外れてしまい、安全上好ましくないという問題があった。
【０００９】
なお、上述した特許文献１においては、ユーザが自分の好みに合う携帯電話の着信メロディを取得する場合、携帯電話を用いて着信メロディの配信システムにアクセスし、好みの着信メロディを探す負担を減らすことについての言及はあるが、ユーザ専用のラジオ局を作成する場合における操作性を向上することについての言及はない。すなわち、上記特許文献１に記載の技術では、上記問題を解決することはできない。
【００１０】
本発明は、このような問題を解決するために成されたものであり、走行上の安全を損なうような操作を行うことなく、楽曲コンテンツの配信を受けるためのラジオ局を携帯端末に作成することができるようにすることを目的とする。
【課題を解決するための手段】
【００１１】
上記した課題を解決するために、本発明では、車載装置の記録媒体に記録されている楽曲コンテンツに関する属性情報を、当該楽曲コンテンツに付属している付属情報から抽出する。そして、車載装置から送信された属性情報に基づいてラジオ局を作成する機能を有する携帯端末と車載装置とが接続されている状態において、車載装置で抽出した属性情報を携帯端末に送信するようにしている。
また、本発明では、楽曲コンテンツ配信サーバから携帯端末に配信された楽曲コンテンツを当該携帯端末から車載装置にて受信し、当該受信した楽曲コンテンツと同一の楽曲コンテンツが記録媒体に記録されているか否かについて判定する。そして、同一の楽曲コンテンツが記録されていると判定された場合、当該同一の楽曲コンテンツに対するユーザの好みの程度を示す評価情報を付属情報に基づいて生成し、生成した評価情報を携帯端末に送信するようにしている。
【発明の効果】
【００１２】
上記のように構成した本発明によれば、ユーザが携帯端末または車載装置の画面を見ながら属性情報の入力を行わなくても、楽曲コンテンツに付属している付属情報から抽出された当該楽曲コンテンツに関する属性情報が携帯端末に送信され、その属性情報に基づくラジオ局が携帯端末で作成される。そのため、運転中に新たなラジオ局を携帯端末上に作成する場合に、ユーザの目線が車両前方から外れることはなくなる。よって、運転中であっても安全に、楽曲コンテンツの配信を受けるためのラジオ局を携帯端末に作成することができる。
【図面の簡単な説明】
【００１３】
【図１】本実施形態による車載装置を備えた楽曲コンテンツ配信システムの構成例を示すブロック図である。
【図２】本実施形態の楽曲コンテンツ配信システムによるラジオ局の生成動作例を示すフローチャートである。
【図３】本実施形態の楽曲コンテンツ配信システムによる指定ラジオ局情報の送信動作例を示すフローチャートである。
【図４】本実施形態の楽曲コンテンツ配信システムによる楽曲コンテンツの配信動作例を示すフローチャートである。
【図５】本実施形態の楽曲コンテンツ配信システムによる評価情報の送信動作例を示すフローチャートである。
【発明を実施するための形態】
【００１４】
以下、本発明の一実施形態（以下、「本実施形態」という）を図面に基づいて説明する。図１は、本実施形態による楽曲コンテンツ配信システム１００の構成例を示すブロック図である。図１に示すように、楽曲コンテンツ配信システム１００は、楽曲コンテンツ配信サーバ１２０、携帯端末１４０および車載装置１６０を備えて構成されている。このうち、楽曲コンテンツ配信サーバ１２０は、例えば楽曲コンテンツ配信センタに設置される。携帯端末１４０および車載装置１６０は、例えば、ユーザが運転する車両内に設置される。そして、楽曲コンテンツ配信サーバ１２０、携帯端末１４０、車載装置１６０の間が有線または無線の通信回線にて接続されている。
【００１５】
まず、楽曲コンテンツ配信サーバ１２０の機能構成について説明する。図１に示すように、楽曲コンテンツ配信サーバ１２０は、楽曲コンテンツ記憶部２００、指定ラジオ局情報受信部２２０、評価情報受信部２４０、楽曲コンテンツ特定部２６０および楽曲コンテンツ送信部２８０を備えて構成されている。
【００１６】
楽曲コンテンツ記憶部２００は、複数の楽曲コンテンツを記憶する。各楽曲コンテンツには、ジャンル名、アルバム名、楽曲名、アーティスト名、作曲者名などの付属情報が付属している。また、各楽曲コンテンツには、その音楽的特徴（例えば、リズムやサウンドなど）を示す音楽的特徴情報が関連付けられている。音楽的特徴情報は、楽曲コンテンツ配信サーバ１２０を管理する楽曲コンテンツ配信業者が各楽曲コンテンツを分析することによって生成している。
【００１７】
指定ラジオ局情報受信部２２０は、携帯端末１４０から送信された指定ラジオ局情報を受信する。そして、指定ラジオ局情報受信部２２０は、受信した指定ラジオ局情報を楽曲コンテンツ特定部２６０に出力する。指定ラジオ局情報は、ユーザが車載装置１６０において指定したラジオ局を示す情報である（詳細については後述する）。
【００１８】
評価情報受信部２４０は、携帯端末１４０から送信された評価情報を受信する。そして、評価情報受信部２４０は、受信した評価情報を楽曲コンテンツ特定部２６０に出力する。評価情報は、楽曲コンテンツ配信サーバ１２０から携帯端末１４０を介して車載装置１６０に配信される楽曲コンテンツに対するユーザの好みの程度を示す情報である（詳細については後述する）。
【００１９】
楽曲コンテンツ特定部２６０は、指定ラジオ局情報受信部２２０から指定ラジオ局情報が出力された場合、楽曲コンテンツ記憶部２００を参照し、当該指定ラジオ局情報に含まれる属性情報（ジャンル、アルバム名、アーティスト名、楽曲名または作曲者名など）を付属情報の一つとして有する楽曲コンテンツをランダムに１つ抽出する。そして、楽曲コンテンツ特定部２６０は、抽出した楽曲コンテンツの音楽的特徴情報との類似度が高い音楽的特徴を有する楽曲コンテンツを携帯端末１４０に対する配信対象として特定する。
【００２０】
また、楽曲コンテンツ特定部２６０は、評価情報受信部２４０から評価情報が出力された場合、出力された評価情報に含まれる嗜好情報の値が「好き」であるとき、評価情報に含まれる楽曲名情報およびアーティスト名情報で特定される楽曲コンテンツの音楽的特徴情報を楽曲コンテンツ記憶部２００から取り出す。そして、楽曲コンテンツ特定部２６０は、取り出した音楽的特徴情報との類似度が高い音楽的特徴を有する楽曲コンテンツを携帯端末１４０に対する次の配信対象として特定する。
【００２１】
一方、評価情報に含まれる嗜好情報の値が「嫌い」であるとき、楽曲コンテンツ特定部２６０は、評価情報に含まれる楽曲名情報およびアーティスト名情報で特定される楽曲コンテンツの音楽的特徴情報との類似度が低い音楽的特徴を有する楽曲コンテンツを携帯端末１４０に対する次の配信対象として特定する。
【００２２】
また、楽曲コンテンツ特定部２６０は、配信対象として特定した楽曲コンテンツを楽曲コンテンツ記憶部２００から取り出して楽曲コンテンツ送信部２８０に出力する。楽曲コンテンツ送信部２８０は、楽曲コンテンツ特定部２６０から出力された楽曲コンテンツをその付属情報と共に携帯端末１４０に送信する。
【００２３】
次に、携帯端末１４０の機能構成について説明する。図１に示すように、携帯端末１４０は、属性情報受信部３００、ラジオ局生成部３２０、ラジオ局情報記憶部３４０、ラジオ局情報送信部３６０、指定ラジオ局情報受信部３８０、指定ラジオ局情報送信部４００、楽曲コンテンツ受信部４２０、楽曲コンテンツ送信部４４０、評価情報受信部４６０および評価情報送信部４８０を備えて構成されている。携帯端末１４０の各機能ブロック３００〜４８０は、携帯端末１４０にインストールされたアプリケーションプログラムにより実現される。
【００２４】
属性情報受信部３００は、車載装置１６０から送信された属性情報を受信する。そして、属性情報受信部３００は、受信した属性情報をラジオ局生成部３２０に出力する。属性情報は、携帯端末１４０でラジオ局を生成するために必要な情報であり、楽曲コンテンツの付属情報から抽出される（詳細については後述する）。
【００２５】
ラジオ局生成部３２０は、属性情報受信部３００から出力された属性情報に基づいて、楽曲コンテンツ配信サーバ１２０から楽曲コンテンツの配信を受けるためのラジオ局を生成する。具体的には、ラジオ局生成部３２０は、属性情報受信部３００から出力された属性情報（ジャンル、アルバム名、アーティスト名、楽曲名または作曲者名など）を含む情報を携帯端末１４０のアプリケーションプログラムが認識可能なラジオ局情報として生成する。そして、ラジオ局生成部３２０は、生成したラジオ局情報をラジオ局情報記憶部３４０に記憶させる。なお、ラジオ局生成部３２０は、生成したラジオ局情報と同一のラジオ局情報が既にラジオ局情報記憶部３４０に記憶されている場合、当該生成したラジオ局情報をラジオ局情報記憶部３４０に記憶させない。
【００２６】
ラジオ局情報送信部３６０は、ラジオ局情報の送信要求を車載装置１６０から受けた場合、ラジオ局情報記憶部３４０に記憶されているラジオ局情報を車載装置１６０に送信する。ラジオ局情報記憶部３４０に記憶されているラジオ局情報が複数あれば、ラジオ局情報送信部３６０は、複数のラジオ局情報を車載装置１６０に送信する。この場合、車載装置１６０では、ラジオ局情報送信部３６０から送信された複数のラジオ局情報のうち何れかがユーザに指定される。
【００２７】
指定ラジオ局情報受信部３８０は、車載装置１６０から送信された指定ラジオ局情報を受信する。そして、指定ラジオ局情報受信部３８０は、受信した指定ラジオ局情報を指定ラジオ局情報送信部４００に出力する。指定ラジオ局情報送信部４００は、指定ラジオ局情報受信部３８０から出力された指定ラジオ局情報を楽曲コンテンツ配信サーバ１２０の指定ラジオ局情報受信部２２０に送信する。そうすると、上述したように、指定ラジオ局情報に応じた楽曲コンテンツが楽曲コンテンツ配信サーバ１２０から携帯端末１４０に配信される。
【００２８】
楽曲コンテンツ受信部４２０は、楽曲コンテンツ配信サーバ１２０の楽曲コンテンツ送信部２８０から送信された楽曲コンテンツおよび付属情報を受信する。そして、楽曲コンテンツ受信部４２０は、受信した楽曲コンテンツおよび付属情報を楽曲コンテンツ送信部４４０に出力する。楽曲コンテンツ送信部４４０は、楽曲コンテンツ受信部４２０から出力された楽曲コンテンツおよび付属情報を車載装置１６０に送信する。
【００２９】
評価情報受信部４６０は、車載装置１６０から送信された評価情報を受信する。評価情報受信部４６０は、受信した評価情報を評価情報送信部４８０に出力する。評価情報送信部４８０は、評価情報受信部４６０から出力された評価情報を楽曲コンテンツ配信サーバ１２０の評価情報受信部２４０に送信する。そうすると、上述したように、評価情報に応じた楽曲コンテンツが楽曲コンテンツ配信サーバ１２０から携帯端末１４０に配信される。
【００３０】
最後に、車載装置１６０の機能構成について説明する。図１に示すように、車載装置１６０は、操作受付部５００、楽曲コンテンツ記憶部５２０（本発明の記録媒体に対応）、再生制御部５４０、属性情報抽出部５６０、属性情報送信部５８０、ラジオ局情報受信部６００、表示制御部６２０、指定ラジオ局情報送信部６４０、楽曲コンテンツ受信部６６０、判定部６８０、評価情報生成部７００および評価情報送信部７２０を備えて構成されている。
【００３１】
操作受付部５００は、操作部（図示せず、以下同じ）を介して、所望の楽曲コンテンツの再生を要求する操作を受け付ける。そして、操作受付部５００は、楽曲コンテンツの再生要求を再生制御部５４０に出力する。また、操作受付部５００は、楽曲コンテンツ記憶部５２０から読み出された楽曲コンテンツが再生制御部５４０により再生されている場合、操作部を介して、ラジオ局を生成することを要求する操作を受け付ける。そして、操作受付部５００は、ラジオ局の生成要求を属性情報抽出部５６０に出力する。
【００３２】
また、操作受付部５００は、操作部を介して、ラジオ局情報を表示することを要求する操作を受け付ける。そして、操作受付部５００は、ラジオ局情報の表示要求をラジオ局情報受信部６００に出力する。また、操作受付部５００は、操作部を介して、表示制御部６２０により表示されているラジオ局情報の中から何れかのラジオ局情報を指定する操作を受け付ける。そして、操作受付部５００は、指定されたラジオ局情報を指定ラジオ局情報送信部６４０に通知する。
【００３３】
楽曲コンテンツ記憶部５２０は、車載装置１６０に内蔵されたハードディスク等の記録媒体であり、複数の楽曲コンテンツを記憶する。各楽曲コンテンツには、ジャンル、アルバム名、楽曲名、アーティスト名、作曲者名およびレート情報などの付属情報が付属している。レート情報は、楽曲コンテンツに対するユーザの好みの程度として「未評価」、「嫌い」、「普通」、「好き」、「大好き」および「最高」の何れかを値として有している。各楽曲コンテンツのレート情報の値は、車載装置１６０の操作部を介してユーザにより事前に設定されている。
【００３４】
再生制御部５４０は、所望の楽曲コンテンツの再生要求が操作受付部５００から出力された場合、当該楽曲コンテンツを楽曲コンテンツ記憶部５２０から取り出して再生するように制御する。また、再生制御部５４０は、楽曲コンテンツ受信部６６０から楽曲コンテンツが出力された場合、当該楽曲コンテンツを再生するように制御する。
【００３５】
属性情報抽出部５６０は、楽曲コンテンツ記憶部５２０から読み出された楽曲コンテンツが再生制御部５４０により再生されている場合、ラジオ局の生成要求が操作受付部５００から出力されたとき、当該再生中の楽曲コンテンツに付属している付属情報から、当該楽曲コンテンツの属性情報を抽出する。具体的には、属性情報抽出部５６０は、付属情報に含まれるジャンル、アルバム名、楽曲名、アーティスト名、作曲者名のうち何れか１つを属性情報として抽出する。例えば、車載装置１６０の製造出荷時にあらかじめ設定されている優先順位の最も高い項目（例えば、ジャンル）を属性情報として抽出する。なお、ユーザが車載装置１６０に対して抽出項目としてあらかじめ設定した項目（例えば、アーティスト名）を属性情報として抽出しても良い。
【００３６】
また、属性情報抽出部５６０は、抽出した属性情報を属性情報送信部５８０に出力する。属性情報送信部５８０は、属性情報抽出部５６０から出力された属性情報を携帯端末１４０の属性情報受信部３００に送信する。そうすると、上述したように、携帯端末１４０では、属性情報送信部５８０から送信された属性情報に基づいてラジオ局が生成される。
【００３７】
ラジオ局情報受信部６００は、ラジオ局情報の表示要求が操作受付部５００から出力された場合、ラジオ局情報を送信することを携帯端末１４０のラジオ局情報送信部３６０に要求する。そして、ラジオ局情報受信部６００は、ラジオ局情報の送信要求に応答してラジオ局情報送信部３６０から送信されたラジオ局情報を受信する。
【００３８】
ラジオ局情報受信部６００は、受信したラジオ局情報を内部のバッファメモリ（図示せず、以下同じ）に保持する。そして、ラジオ局情報受信部６００は、バッファメモリに保持したラジオ局情報を表示制御部６２０に出力する。表示制御部６２０は、ラジオ局情報受信部６００から出力されたラジオ局情報をディスプレイ（図示せず、以下同じ）に表示するように制御する。
【００３９】
指定ラジオ局情報送信部６４０は、操作受付部５００からラジオ局情報が通知された場合、通知されたラジオ局情報をラジオ局情報受信部６００のバッファメモリから取得し、その取得したラジオ局情報を指定ラジオ局情報として携帯端末１４０の指定ラジオ局情報受信部３８０に送信する。そうすると、上述したように、指定ラジオ局情報送信部６４０から送信された指定ラジオ局情報に応じた楽曲コンテンツが、楽曲コンテンツ配信サーバ１２０から携帯端末１４０を介して車載装置１６０に送られてくる。
【００４０】
楽曲コンテンツ受信部６６０は、携帯端末１４０の楽曲コンテンツ送信部４４０から送信された楽曲コンテンツおよび付属情報を受信する。そして、楽曲コンテンツ受信部６６０は、受信した楽曲コンテンツおよび付属情報を再生制御部５４０および判定部６８０に出力する。
【００４１】
判定部６８０は、楽曲コンテンツ受信部６６０から出力された楽曲コンテンツと同一の楽曲コンテンツが楽曲コンテンツ記憶部５２０に記憶されているか否かについて判定する。具体的には、判定部６８０は、楽曲コンテンツ受信部６６０から出力された付属情報（例えば、アーティスト名および楽曲名）で特定される楽曲コンテンツが楽曲コンテンツ記憶部５２０に記憶されているか否かについて判定する。判定部６８０は、同一の楽曲コンテンツが楽曲コンテンツ記憶部５２０に記憶されていると判定した場合、当該同一の楽曲コンテンツを評価情報生成部７００に通知する。例えば、判定部６８０は、楽曲コンテンツに付属しているアーティスト名および楽曲名を評価情報生成部７００に通知する。なお、判定部６８０は、同一の楽曲コンテンツが楽曲コンテンツ記憶部５２０に記憶されていないと判定した場合には何もしない。
【００４２】
評価情報生成部７００は、判定部６８０から楽曲コンテンツが通知された場合、当該楽曲コンテンツに対するユーザの好みの程度を示す評価情報を生成する。具体的には、評価情報生成部７００は、楽曲コンテンツ記憶部５２０を参照して、判定部６８０から通知された楽曲コンテンツの付属情報に含まれるレート情報の値が「嫌い」であるか否かについて判定する。評価情報生成部７００は、レート情報の値が「嫌い」であると判定した場合、判定部６８０から通知された楽曲コンテンツの付属情報に含まれるアーティスト名および楽曲名をそれぞれ示すアーティスト名情報および楽曲名情報と、値が「嫌い」である嗜好情報とを含む評価情報を生成する。
【００４３】
また、評価情報生成部７００は、レート情報の値が「嫌い」でないと判定した場合、当該レート情報の値が「好き」、「大好き」または「最高」であるか否かについて判定する。評価情報生成部７００は、レート情報の値が「好き」、「大好き」または「最高」であると判定した場合、判定部６８０から通知された楽曲コンテンツの付属情報に含まれるアーティスト名および楽曲名をそれぞれ示すアーティスト名情報および楽曲名情報と、値が「好き」である嗜好情報とを含む評価情報を生成する。なお、レート情報の値が「普通」または「未評価」である場合、評価情報生成部７００は評価情報を生成しない。
【００４４】
また、評価情報生成部７００は、生成した評価情報を評価情報送信部７２０に出力する。評価情報送信部７２０は、評価情報生成部７００から出力された評価情報を携帯端末１４０の評価情報受信部４６０に送信する。そうすると、上述したように、評価情報送信部７２０から送信された評価情報に応じた楽曲コンテンツが、楽曲コンテンツ配信サーバ１２０から携帯端末１４０を介して車載装置１６０に配信される。
【００４５】
次に、本実施形態の楽曲コンテンツ配信システム１００の動作について説明する。図２は、本実施形態の楽曲コンテンツ配信システム１００によるラジオ局の生成動作例を示すフローチャートである。図２に示すフローチャートは、楽曲コンテンツ記憶部５２０から読み出された楽曲コンテンツが再生制御部５４０により再生されている場合に所定時間間隔で行われる処理である。
【００４６】
まず、操作受付部５００は、操作部を介して、ラジオ局を生成することを要求する操作を受け付けたか否かについて判定する（ステップＳ１００）。もし、ラジオ局を生成することを要求する操作を受け付けていないと操作受付部５００にて判定した場合（ステップＳ１００にてＮＯ）、楽曲コンテンツ配信システム１００は図２における処理を終了する。
【００４７】
一方、ラジオ局を生成することを要求する操作を受け付けたと操作受付部５００にて判定した場合（ステップＳ１００にてＹＥＳ）、属性情報抽出部５６０は、ラジオ局の生成要求を操作受付部５００から受けて、再生中の楽曲コンテンツに付属している付属情報から、当該楽曲コンテンツの属性情報を抽出する（ステップＳ１２０）。そして、属性情報抽出部５６０は、抽出した属性情報を属性情報送信部５８０に出力する。
【００４８】
次に、属性情報送信部５８０は、属性情報抽出部５６０から出力された属性情報を携帯端末１４０の属性情報受信部３００に送信する（ステップＳ１４０）。属性情報受信部３００は、属性情報送信部５８０から送信された属性情報を受信する（ステップＳ１６０）。最後に、ラジオ局生成部３２０は、属性情報受信部３００により受信された属性情報に基づいて、楽曲コンテンツ配信サーバ１２０から楽曲コンテンツの配信を受けるためのラジオ局を生成する（ステップＳ１８０）。ステップＳ１８０の処理が完了することによって、楽曲コンテンツ配信システム１００は図２における処理を終了する。
【００４９】
図３は、本実施形態の楽曲コンテンツ配信システム１００による指定ラジオ局情報の送信動作例を示すフローチャートである。図３に示すフローチャートは、ラジオ局情報の表示要求が操作受付部５００からラジオ局情報受信部６００に出力されることにより開始する。
【００５０】
まず、ラジオ局情報受信部６００は、ラジオ局情報を送信することを携帯端末１４０のラジオ局情報送信部３６０に要求する（ステップＳ２００）。その要求に応答して、ラジオ局情報送信部３６０は、ラジオ局情報記憶部３４０に記憶されているラジオ局情報をラジオ局情報受信部６００に送信する（ステップＳ２２０）。ラジオ局情報受信部６００は、ラジオ局情報送信部３６０から送信されたラジオ局情報を受信する（ステップＳ２４０）。
【００５１】
次に、表示制御部６２０は、ラジオ局情報受信部６００により受信されたラジオ局情報をディスプレイに表示するように制御する（ステップＳ２６０）。次に、操作受付部５００は、表示制御部６２０により表示されているラジオ局情報のうち何れかのラジオ局情報を指定する操作を受け付けたか否かについて判定する（ステップＳ２８０）。もし、ラジオ局情報を指定する操作を受け付けていないと操作受付部５００にて判定した場合（ステップＳ２８０にてＮＯ）、処理はステップＳ２８０に遷移する。
【００５２】
一方、ラジオ局情報を指定する操作を受け付けたと操作受付部５００にて判定した場合（ステップＳ２８０にてＹＥＳ）、操作受付部５００は、指定されたラジオ局情報を指定ラジオ局情報送信部６４０に通知する。指定ラジオ局情報送信部６４０は、通知されたラジオ局情報をラジオ局情報受信部６００のバッファメモリから取得し、その取得したラジオ局情報を指定ラジオ局情報として携帯端末１４０の指定ラジオ局情報受信部３８０に送信する（ステップＳ３００）。
【００５３】
指定ラジオ局情報受信部３８０は、指定ラジオ局情報送信部６４０から送信された指定ラジオ局情報を受信する（ステップＳ３２０）。次に、指定ラジオ局情報送信部４００は、指定ラジオ局情報受信部３８０により受信された指定ラジオ局情報を楽曲コンテンツ配信サーバ１２０の指定ラジオ局情報受信部２２０に送信する（ステップＳ３４０）。
【００５４】
最後に、指定ラジオ局情報受信部２２０は、携帯端末１４０から送信された指定ラジオ局情報を受信する（ステップＳ３６０）。ステップＳ３６０の処理が完了することによって、楽曲コンテンツ配信システム１００は図３における処理を終了する。
【００５５】
図４は、本実施形態の楽曲コンテンツ配信システム１００による楽曲コンテンツの配信動作例を示すフローチャートである。図４に示すフローチャートは、楽曲コンテンツ配信サーバ１２０の指定ラジオ局情報受信部２２０から楽曲コンテンツ特定部２６０に指定ラジオ局情報が出力されたとき、および、評価情報受信部２４０から楽曲コンテンツ特定部２６０に評価情報が出力されたときに開始する。
【００５６】
まず、楽曲コンテンツ特定部２６０は、評価情報受信部２４０から評価情報が出力されたか否かについて判定する（ステップＳ４００）。もし、評価情報が出力されていない、つまり、指定ラジオ局情報受信部２２０から楽曲コンテンツ特定部２６０に指定ラジオ局情報が出力されたと楽曲コンテンツ特定部２６０にて判定した場合（ステップＳ４００にてＮＯ）、楽曲コンテンツ特定部２６０は、指定ラジオ局情報に含まれる属性情報（ジャンル、アルバム名、アーティスト名、楽曲名または作曲者名など）を付属情報の一つとして有する楽曲コンテンツをランダムに１つ抽出し、抽出した楽曲コンテンツの音楽的特徴情報との類似度が高い音楽的特徴を有する楽曲コンテンツを携帯端末１４０に対する配信対象として特定する（ステップＳ４２０）。その後、処理はステップＳ５００に遷移する。
【００５７】
一方、評価情報が出力されたと楽曲コンテンツ特定部２６０にて判定した場合（ステップＳ４００にてＹＥＳ）、楽曲コンテンツ特定部２６０は、評価情報に含まれる嗜好情報の値が「好き」であるか否かについて判定する（ステップＳ４４０）。もし、嗜好情報の値が「好き」であると楽曲コンテンツ特定部２６０にて判定した場合（ステップＳ４４０にてＹＥＳ）、楽曲コンテンツ特定部２６０は、評価情報に含まれるアーティスト名情報および楽曲名情報で特定される楽曲コンテンツの音楽的特徴情報との類似度が高い音楽的特徴を有する楽曲コンテンツを携帯端末１４０に対する次の配信対象として特定する（ステップＳ４６０）。その後、処理はステップＳ５００に遷移する。
【００５８】
一方、嗜好情報の値が「好き」でない（すなわち、「嫌い」である）と楽曲コンテンツ特定部２６０にて判定した場合（ステップＳ４４０にてＮＯ）、楽曲コンテンツ特定部２６０は、評価情報に含まれるアーティスト名情報および楽曲名情報で特定される楽曲コンテンツの音楽的特徴情報との類似度が低い音楽的特徴を有する楽曲コンテンツを携帯端末１４０に対する次の配信対象として特定する（ステップＳ４８０）。その後、処理はステップＳ５００に遷移する。
【００５９】
ステップＳ５００では、楽曲コンテンツ送信部２８０は、ステップＳ４２０、Ｓ４６０またはＳ４８０にて楽曲コンテンツ特定部２６０により特定された楽曲コンテンツをその付属情報と共に携帯端末１４０の楽曲コンテンツ受信部４２０に送信する。楽曲コンテンツ受信部４２０は、楽曲コンテンツ送信部２８０から送信された楽曲コンテンツおよび付属情報を受信する（ステップＳ５２０）。
【００６０】
次に、楽曲コンテンツ送信部４４０は、楽曲コンテンツ受信部４２０により受信された楽曲コンテンツおよび付属情報を車載装置１６０の楽曲コンテンツ受信部６６０に送信する（ステップＳ５４０）。楽曲コンテンツ受信部６６０は、楽曲コンテンツ送信部４４０から送信された楽曲コンテンツおよび付属情報を受信する（ステップＳ５６０）。最後に、再生制御部５４０は、楽曲コンテンツ受信部６６０により受信された楽曲コンテンツの再生を開始する（ステップＳ５８０）。ステップＳ５８０の処理が完了することによって、楽曲コンテンツ配信システム１００は図４における処理を終了する。
【００６１】
図５は、本実施形態の楽曲コンテンツ配信システム１００による評価情報の送信動作例を示すフローチャートである。図５に示すフローチャートは、車載装置１６０において楽曲コンテンツ受信部６６０から判定部６８０に楽曲コンテンツおよび付属情報が出力されることにより開始する。
【００６２】
まず、判定部６８０は、楽曲コンテンツ受信部６６０から出力された楽曲コンテンツと同一の楽曲コンテンツが楽曲コンテンツ記憶部５２０に記憶されているか否かについて、楽曲コンテンツと共に出力された付属情報に基づいて判定する（ステップＳ６００）。もし、同一の楽曲コンテンツが記憶されていないと判定部６８０にて判定した場合（ステップＳ６００にてＮＯ）、楽曲コンテンツ配信システム１００は図５における処理を終了する。
【００６３】
一方、同一の楽曲コンテンツが記憶されていると判定部６８０にて判定した場合（ステップＳ６００にてＹＥＳ）、判定部６８０は、当該同一の楽曲コンテンツを評価情報生成部７００に通知する。次に、評価情報生成部７００は、楽曲コンテンツ記憶部５２０を参照して、判定部６８０から通知された楽曲コンテンツの付属情報に含まれるレート情報の値が「嫌い」であるか否かについて判定する（ステップＳ６２０）。
【００６４】
もし、レート情報の値が「嫌い」であると評価情報生成部７００にて判定した場合（ステップＳ６２０にてＹＥＳ）、評価情報生成部７００は、判定部６８０から通知された楽曲コンテンツの付属情報に含まれるアーティスト名および楽曲名をそれぞれ示すアーティスト名情報および楽曲名情報と、値が「嫌い」である嗜好情報とを含む評価情報を生成する（ステップＳ６４０）。その後、処理はステップＳ７００に遷移する。
【００６５】
一方、レート情報の値が「嫌い」でないと評価情報生成部７００にて判定した場合（ステップＳ６２０にてＮＯ）、評価情報生成部７００は、当該レート情報の値が「好き」、「大好き」または「最高」であるか否かについて判定する（ステップＳ６６０）。もし、レート情報の値が「好き」、「大好き」または「最高」でないと評価情報生成部７００にて判定した場合（ステップＳ６６０にてＮＯ）、楽曲コンテンツ配信システム１００は図５における処理を終了する。
【００６６】
一方、レート情報の値が「好き」、「大好き」または「最高」であると評価情報生成部７００にて判定した場合（ステップＳ６６０にてＹＥＳ）、評価情報生成部７００は、判定部６８０から出力された楽曲コンテンツの付属情報に含まれるアーティスト名および楽曲名をそれぞれ示すアーティスト名情報および楽曲名情報と、値が「好き」である嗜好情報とを含む評価情報を生成する（ステップＳ６８０）。その後、処理はステップＳ７００に遷移する。
【００６７】
ステップＳ７００では、評価情報送信部７２０は、ステップＳ６４０またはＳ６８０にて評価情報生成部７００により生成された評価情報を携帯端末１４０の評価情報受信部４６０に送信する。評価情報受信部４６０は、評価情報送信部７２０から送信された評価情報を受信する（ステップＳ７２０）。
【００６８】
次に、評価情報送信部４８０は、評価情報受信部４６０により受信された評価情報を楽曲コンテンツ配信サーバ１２０の評価情報受信部２４０に送信する（ステップＳ７４０）。最後に、評価情報受信部２４０は、評価情報送信部４８０から送信された評価情報を受信する（ステップＳ７６０）。ステップＳ７６０の処理が完了することによって、楽曲コンテンツ配信システム１００は図５における処理を終了する。
【００６９】
以上詳しく説明したように、本実施形態では、車載装置１６０の楽曲コンテンツ記憶部５２０に記録されている楽曲コンテンツを再生しているときに、当該楽曲コンテンツに付属している付属情報から所定の属性情報を抽出し、抽出した属性情報を、ラジオ局生成機能を有する携帯端末１４０に送信するようにしている。
【００７０】
このように構成した本実施形態によれば、ユーザが携帯端末１４０または車載装置１６０の画面を見ながら属性情報の入力を行わなくても、再生中の楽曲コンテンツに付属している付属情報から属性情報が自動的に抽出され、その属性情報に基づくラジオ局が携帯端末１４０で作成される。そのため、運転中に新たなラジオ局を携帯端末１４０上に作成する場合に、ユーザの目線が車両前方から外れることはなくなる。よって、運転中であっても安全に、楽曲コンテンツの配信を受けるためのラジオ局を携帯端末１４０に作成することができる。
【００７１】
また、本実施形態では、楽曲コンテンツ配信サーバ１２０から携帯端末１４０を介して車載装置１６０に配信された楽曲コンテンツと同一の楽曲コンテンツが楽曲コンテンツ記憶部５２０に記録されている場合、当該同一の楽曲コンテンツに対するユーザの好みの程度を示す評価情報を当該同一の楽曲コンテンツの付属情報に基づいて生成し、携帯端末１４０に送信するようにしている。
【００７２】
このように構成した本実施形態によれば、ユーザが車載装置１６０の画面を見ながら評価情報に関する入力を行わなくても、楽曲コンテンツに関する付属情報から評価情報が自動的に生成され携帯端末１４０に送信される。そして、評価情報が携帯端末１４０から楽曲コンテンツ配信サーバ１２０に送信される。そのため、現在聴いている楽曲コンテンツに関する評価情報を運転中に楽曲コンテンツ配信サーバ１２０に送信する場合に、ユーザの目線が車両前方から外れることはなくなる。よって、運転中であっても安全に、現在聴いている楽曲コンテンツに関する評価情報を楽曲コンテンツ配信サーバ１２０に送信することができる。
【００７３】
なお、上記実施形態では、車載装置１６０の楽曲コンテンツ記憶部５２０に記録されている楽曲コンテンツを再生しているときにその楽曲コンテンツに付属している付属情報から所定の属性情報を抽出する例について説明したが、本発明はこれに限定されない。例えば、携帯端末１４０も楽曲コンテンツ記憶部を備え、携帯端末１４０の楽曲コンテンツ記憶部に記録されている楽曲コンテンツを車載装置１６０に送信して再生しているときに、その楽曲コンテンツに付属している付属情報から所定の属性情報を抽出するようにしても良い。
【００７４】
また、上記実施形態では、楽曲コンテンツ記憶部５２０を車載装置１６０に内蔵する例について説明したが、本発明はこれに限定されない。例えば、楽曲コンテンツ記憶部５２０を車載装置１６０に接続可能な外付けの記録媒体（例えば、ハードディスクやＵＳＢメモリなど）としても良い。
【００７５】
また、上記実施形態では、楽曲コンテンツ記憶部５２０から読み出された楽曲コンテンツが再生されている場合、ラジオ局を生成することを要求する操作が操作受付部５００で受け付けられたとき、当該楽曲コンテンツに付属している付属情報から属性情報を抽出する例について説明したが、本発明はこれに限定されない。例えば、楽曲コンテンツ記憶部５２０に記録されている楽曲コンテンツを一覧表示し、その一覧表示した中からユーザが操作部を介して何れかの楽曲コンテンツを指定した場合に、当該指定した楽曲コンテンツに付属している付属情報から属性情報を抽出するようにしても良い。
【００７６】
また、上記実施形態において、楽曲コンテンツ特定部２６０による配信対象の楽曲コンテンツの特定処理は一例にすぎない。例えば、評価情報に含まれる嗜好情報の値が「嫌い」である場合、評価情報が出力されていないときの処理と同様に、指定ラジオ局情報に含まれる属性情報を付属情報の一つとして有する楽曲コンテンツをランダムに１つ抽出し、抽出した楽曲コンテンツの音楽的特徴情報との類似度が高い音楽的特徴を有する楽曲コンテンツを次の配信対象として特定しても良い。また、評価情報が出力されていない場合、指定ラジオ局情報に含まれる属性情報を付属情報の一つとして有する楽曲コンテンツをランダムに１つ抽出し、抽出した楽曲コンテンツを次の配信対象として特定しても良い。
【００７７】
また、上記実施形態では、車載装置１６０に配信された楽曲コンテンツと同一の楽曲コンテンツが楽曲コンテンツ記憶部５２０に記録されている場合、当該楽曲コンテンツに関する評価情報をレート情報に基づいて生成する例について説明したが、レート情報以外の付属情報（ジャンル、アルバム名、楽曲名、アーティスト名または作曲者名など）に基づいて評価情報を生成しても良い。例えば、アーティスト名が「ＡＡＡ」である場合、値が「好き」である嗜好情報を含む評価情報を生成しても良い。また、ジャンルが「ロック」である場合、値が「嫌い」である嗜好情報を含む評価情報を生成しても良い。これらの場合、アーティスト名と嗜好情報の値（「好き」または「嫌い」）との関連付けや、ジャンルと嗜好情報の値（「好き」または「嫌い」）との関連付けは、車載装置１６０の操作部を介してユーザが事前に設定するようにしても良い。
【００７８】
また、上記実施形態では、各楽曲コンテンツのレート情報の値は事前に、車載装置１６０の操作部を介してユーザにより設定される例について説明したが、本発明はこれに限定されない。例えば、各楽曲コンテンツのレート情報の値は事前に、車載装置１６０にダウンロードされる前の段階で、パソコン上でユーザにより設定されても良い。
【００７９】
また、上記実施形態では、属性情報抽出部５６０が楽曲コンテンツの付属情報に含まれるジャンル、アルバム名、楽曲名、アーティスト名、作曲者名のうち何れか１つを属性情報として抽出する例について説明したが、本発明はこれに限定されない。例えば、属性情報抽出部５６０は、楽曲コンテンツの付属情報に含まれるジャンル、アルバム名、楽曲名、アーティスト名、作曲者名のうち複数の項目を複数の属性情報としてそれぞれ抽出しても良い。この場合、ラジオ局生成部３２０は、属性情報抽出部５６０により抽出された複数の属性情報の各々を使用して複数のラジオ局を生成する。
【００８０】
また、上記実施形態では、レート情報の値が「普通」または「未評価」の場合は評価情報を生成しない例について説明したが、本発明はこれに限定されない。例えば、レート情報が「普通」または「未評価」の場合、判定部６８０から通知された楽曲コンテンツの付属情報に含まれるアーティスト名および楽曲名をそれぞれ示すアーティスト名情報および楽曲名情報と、値が「好き」または「嫌い」である嗜好情報とを含む評価情報を生成しても良い。あるいは、「好き」または「嫌い」の評価情報を操作部の操作により入力するようにしても良い。
【００８１】
また、上記実施形態では、評価情報に含まれる嗜好情報の値が「好き」または「嫌い」の２通りである例について説明したが、本発明はこれに限定されない。例えば、評価情報に含まれる嗜好情報の値が「好き」、「普通」または「嫌い」の３通りでも良い。この場合、楽曲コンテンツ特定部２６０は、嗜好情報の値が「好き」、「普通」または「嫌い」の何れであるかに応じて、評価情報に含まれるアーティスト名情報および楽曲名情報で特定される楽曲コンテンツの音楽的特徴情報との類似度が高い、中程度または低い音楽的特徴を有する楽曲コンテンツを配信対象の楽曲コンテンツとしてそれぞれ特定する。また、評価情報に含まれる嗜好情報は、４通り以上の値をとっても良い。
【００８２】
また、上記実施形態では、携帯端末１４０でラジオ局を生成した後に、車載装置１６０においてユーザが当該生成したラジオ局を指定する操作を行った場合に、指定したラジオ局情報（指定ラジオ局情報）を楽曲コンテンツ配信サーバ１２０に送信する例について説明したが、本発明はこれに限定されない。例えば、携帯端末１４０でラジオ局を生成した後に、当該生成したラジオ局に対応するラジオ局情報（指定ラジオ局情報）を楽曲コンテンツ配信サーバ１２０に送信するようにしても良い。このようにすれば、携帯端末１４０で生成したラジオ局で楽曲コンテンツの配信を受けたい場合、車載装置１６０においてラジオ局情報を指定する操作を行うことなく、当該生成したラジオ局に基づいて、楽曲コンテンツの配信を迅速に受けることができる。
【００８３】
また、上記実施形態において、携帯端末１４０でアプリケーションプログラムを起動している場合、ユーザからの指令がなくても再生中の楽曲コンテンツについて自動的に属性情報を抽出してラジオ局を生成するように携帯端末１４０および車載装置１６０を構成するようにしても良い。
【００８４】
また、上記実施形態では、音楽的特徴情報が、楽曲コンテンツ配信サーバ１２０を管理する楽曲コンテンツ配信業者が各楽曲コンテンツを分析することによって生成されている例について説明したが、本発明はこれに限定されない。例えば、楽曲コンテンツ配信サーバ１２０が各楽曲コンテンツを分析することによって音楽的特徴情報を生成するようにしても良い。
【００８５】
その他、上記実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００８６】
１２０  楽曲コンテンツ配信サーバ
１４０  携帯端末
１６０  車載装置
５２０  楽曲コンテンツ記憶部（記録媒体）
５６０  属性情報抽出部
５８０  属性情報送信部
６６０  楽曲コンテンツ受信部
６８０  判定部
７００  評価情報生成部
７２０  評価情報送信部
【図１】
0005545651.tif 000002
【図２】
0005545651.tif 000003
【図３】
0005545651.tif 000004
【図４】
0005545651.tif 000005
【図５】
0005545651.tif 000006